(57)【要約】【課題】光ディスクの使い勝手を向上させる。【解決手段】光ディスク媒体にディスク識別固有番号を搭載したＩＣチップ及び表示素子，光ディスク記録再生装置用リモコンにディスク識別固有番号情報を送受信するデータ送受信部及び表示素子，光ディスク記録再生装置に光ディスク媒体のディスク識別番号情報と記録内容を記憶する記憶装置をそれぞれ設けた。【効果】光ディスク媒体に記録した内容を光ディスク媒体を光ディスク記録再生装置に挿入することなく確認し，また，所望の記録が行われた光ディスク媒体を装置の近くに運ぶ手間なく探すことができる。【選択図】図１
2005310253.tif 000002
【特許請求の範囲】
【請求項１】
各種データを記録または再生する光ディスク媒体と、
前記光ディスク媒体を記録または再生する光ディスク記録再生装置と、
前記光ディスク記録再生装置と通信するリモコンとからなる光ディスクシステムであって、
前記光ディスク媒体は、少なくともディスク識別固有番号情報が記録された記憶手段と，上記記憶手段との間で情報を送信または受信する通信手段を，カートリッジ内あるいはディスク内に具備し，
前記光ディスク記録再生装置は、前記光ディスク媒体への記録内容の全部あるいは一部分を記憶するための手段と，上記光ディスク媒体のディスク識別固有番号情報を送信あるいは受信する通信手段と，上記光ディスク媒体の記録内容とディスク識別固有番号を対応させるためのプログラムを格納する記憶手段とを有し，
前記リモコンは、上記光ディスク媒体あるいは上記光ディスク記録再生装置との間で，少なくともディスク識別固有番号情報が記録された上記記憶手段に記録された情報を非接触で送信あるいは受信する通信手段を有することを特徴とする非接触通信機能付き光ディスクシステム。
【請求項２】
前記光ディスク媒体において，更に，回転バランス補正手段を具備していることを特徴とする請求項１記載の非接触通信機能付き光ディスクシステム。
【請求項３】
上記光ディスク記録再生装置用リモコンは，ある特定のディスク識別固有番号情報を発信し,固有番号が合致した光ディスク媒体がある距離内に接近した場合にそのことを示す表示機能を有する手段を具備することを特徴とする請求項１記載の非接触通信機能付き光ディスクシステム。
【請求項４】
前記光ディスク媒体は、更に，表示素子と, 表示素子を動作させるための電力を受信する電力受信手段とを備えたことを特徴とする請求項１記載の非接触通信機能付き光ディスクシステム。
【請求項５】
ディスク識別固有番号情報が記録された記憶手段と，
回転時のバランスを補正する回転バランス補正手段を有することを特徴とする光ディスク媒体。
【発明の詳細な説明】
【技術分野】
【０００１】
本発明は、光ディスク媒体に固有に設けられたディスク識別固有番号情報を，光ディスク媒体，光ディスク記録再生装置，及びそのリモコン間で非接触にて通信する機能を備えた光ディスクシステム及び光ディスク媒体に関する。
【背景技術】
【０００２】
近年，家庭用ＤＶＤ機器の普及が進んでいる。家庭用ＤＶＤ機器はＶＴＲ市場を上回り，ＡＶ用ＤＶＤレコーダ市場も急峻に立ち上がってきた。記録済みの光ディスク媒体にどんな情報が記録されているのかは，その光ディスク媒体を再生装置にセット（挿入）しないと情報の内容が不明のため，光ディスク媒体の枚数が増えてくると，希望する情報が記録されている光ディスク媒体を探すのに，時間と手間がかかってしまうという問題点があった。光ディスク媒体をケースに入れてメモ等を貼り付けていれば，記録内容を確認できるが,記録内容が逐次更新されていくような場合，メモ書きを更新していくのも手間がかかるという問題があった。
【０００３】
この問題点を解決し，ＤＶＤレコーダとしての使い勝手をよりよくするための装置および媒体が，特開平１１−８６５１１号，特開平１１−８６３４７号に示されている。これらの例では、光ディスク媒体および装置本体に非接触通信機能が，光ディスク媒体あるいはカートリッジに各種データを記録できる記憶手段がそれぞれ備えられており，光ディスク媒体を再生装置内にセットしなくても，近づけるだけで光ディスクの内容項目等を表示できる。
【０００４】
【特許文献１】特開平１１−８６５１１号
【０００５】
【特許文献２】特開平１１−８６３４７号
【発明の開示】
【発明が解決しようとする課題】
【０００６】
特開平１１−８６５１１号等に示された非接触通信機能付き光ディスク媒体及び装置では，光ディスク媒体を装置に近づける必要が生じる。また,装置の近くに光ディスクが多数あった場合，所望のディスクがどれであるのか判断できない場合があった。さらに,所望の録画情報が格納されている光ディスク媒体を探すのに，収納棚に並んでいる多数枚の光ディスク媒体を１つ１つ手にとって装置に近づける必要があり，手間と労力がかかるという問題点があった。
【０００７】
本発明の目的は，棚にならべてある多数枚の光ディスク媒体の中から，所望の情報を記録した光ディスク媒体を，装置本体に近づけることなく容易に探し出せ，さらに光ディスク媒体の記録情報を，装置本体に近づけることなく内容を確認できるようにすることにより,光ディスクの使い勝手の良い光ディスクシステム及び光ディスク媒体を提供することにある。
【課題を解決するための手段】
【０００８】
本発明では、上記目的を達成するため、以下の手段を用いた。
（１）少なくともディスク識別固有番号情報が記録された記憶手段と，上記記憶手段との間で情報を送信または受信する通信手段を，カートリッジ内あるいはディスク内に具備した光ディスク媒体と，
光ディスク媒体への記録内容の全部あるいは一部分を記憶するための手段と，上記光ディスク媒体のディスク識別固有番号情報を送信あるいは受信する通信手段と，上記光ディスク媒体の記録内容とディスク識別固有番号を対応させるためのプログラムを格納する記憶手段を具備した光ディスク記録再生装置と，
上記光ディスク媒体あるいは上記光ディスク記録再生装置との間で，少なくともディスク識別固有番号情報が記録された上記記憶手段に記録された情報を非接触で送信あるいは受信する通信手段を具備する光ディスク記録再生装置用リモコン，を備える光ディスクシステムとした。
【０００９】
（２）上記光ディスク媒体では，少なくともディスク識別固有番号情報が搭載された記憶手段に加えて，回転バランス補正手段を備える構成とした。これにより、記憶手段の重みによって生じる回転軸に対するアンバランスを、補正することができる。
（３）また,上記光ディスク記録再生装置用リモコンには，ある特定のディスク識別固有番号情報を発信し,固有番号が合致した光ディスク媒体がある距離内に接近した場合にそのことを示す表示機能を有する手段を有する構成とした。
（４）さらに，光ディスク媒体は,少なくともディスク識別固有番号情報が記録された記憶手段と，上記記憶手段との間で情報を送信または受信する通信手段をカートリッジ内あるいはディスク内に具備しており，かつ，表示素子と,表示素子を動作させるための電力を受信する電力受信手段とを備えた構成とした。
【発明の効果】
【００１０】
本発明によれば,リモコンを用いることにより，光ディスク媒体に記録されたデータの内容が，再生装置または記録再生装置内に光ディスクをセットしたり,装置に近づけることなく確認できるので,短時間で希望する光ディスク媒体を探すことができる。また，光ディスク装置内に保存されている記録情報から，所望の記録データ情報が記録されている光ディスクを特定し，リモコンを用いて棚に並んでいる多数の光ディスクの中から希望する光ディスクを簡単に探すことができる。
【発明を実施するための最良の形態】
【００１１】
以下本発明の詳細を、実施例を用いて説明する。
【実施例１】
【００１２】
図１に本発明における光ディスクシステムの模式図，図２に本発明における光ディスクシステムを構成する要素の外観の一例を示す。図１，２において，１は非接触通信機能を備えた光ディスク記録再生装置，２は録画内容等を表示するテレビやパソコン等のディスクプレイ，３は光ディスク記録再生装置用リモコン，４は非接触通信機能を備えた光ディスク媒体である。
【００１３】
まず，図１，３，４を用いて，本発明における光ディスクシステムの動作の一例を説明する。光ディスク媒体に記録する場合のフローの一例を図３に示す。最初に光ディスク記録再生装置１に光ディスク媒体４を挿入し（ステップ１０１），光ディスク記録再生装置１側から光ディスクドライブ１３により各種データを光ディスク媒体４に記録する（ステップ１０２）。このとき，光ディスク媒体４はカートリッジに内蔵されている一体型の場合もある。また,光ディスク記録再生装置はいわゆるＤＶＤレコーダーのような独立型ではなく,例えばテレビに内蔵されているようなタイプもあり得る。記録終了後，光ディスク記録媒体内，または上記光ディスク媒体を内蔵したカートリッジ内に埋め込まれた識別固有番号情報を発信するために必要となる電力を電力送信部１２より送信し（ステップ１０３），光ディスク媒体は電力受信部４４にて蓄電し，十分に蓄電されたところで電力送信を終了する（ステップ１０４）。
【００１４】
一方，光ディスク媒体４が光ディスク記録再生装置１に挿入された時点で，光ディスク媒体あるいは光ディスク媒体を内蔵したカートリッジ内に埋め込まれた識別固有番号を記したＩＣチップ４１から識別固有番号を読み取り（ステップ１０５），光ディスク記録再生装置内の記憶装置１１に識別固有番号を記録する。光ディスク媒体への各種データの記録（ステップ１０２）が終了後，各種データのうち一部あるいは全部を記憶装置１１に記録（ステップ１０６），ステップ１０５で記録した識別固有番号とステップ１０６で記録した上記各種データの対応付けを行う（ステップ１０７）。
【００１５】
このようにして多数の光ディスク媒体が増えていくが，この光ディスク媒体をケースに入れて，メモ等を貼り付けていれば，希望するデータがどの光ディスク媒体に記録されたかを探すことができるが，ディスクにメモをつけていない場合や，１枚の光ディスクに多数の異なる種類の情報が記録されていてメモしきれない場合，あるいは数十枚，数百枚単位の多数の光ディスク媒体が収納棚に並んでいる場合など，所望のデータが記録されている光ディスク媒体を探すのは容易ではない。前述した特開平１１−８６５１１号，特開平１１−８６３４７号の技術を用いても，光ディスク１枚１枚を収納棚から記録再生装置の近くに持っていかねばならず，手間と時間がかかった。そこで，本発明の特徴である非接触通信機能を備えた光ディスクシステムを用いたときの，希望するデータがどの光ディスク媒体に記録されたかを探す動作を説明する。
【００１６】
図４にこのときの動作の一例を示す。最初に光ディスク記録再生装置を操作し,検索モードに設定する（ステップ２０１）。この検索モードの命令はＣＰＵ１４に伝えられる。ＣＰＵ１４は検索モードの命令を受け付けると，記憶装置１１内に記録されている日付，サムネイル等のデータをディスプレイ２に表示する（ステップ２０２）。表示されたデータのうち，所望のデータを選択すると（ステップ２０３），選択データに対応した光ディスクのディスク識別固有番号情報が光ディスク記録再生装置からデータ送受信部１５から送信される（ステップ２０４）。送信された識別固有番号情報はリモコン３のデータ送受信部３１で受信され（ステップ２０５），メモリ３３に記憶される。
【００１７】
次に光ディスク媒体が多数収納されている棚の近くに行き，メモリ３３に記憶されたディスク識別固有情報を，光ディスク媒体に向けてデータ送受信部３１から送信する。リモコンが光ディスク媒体の近くをスキャンすると光ディスク媒体が識別固有番号情報をデータ送受信部４３で受信（ステップ２０７），送信した識別固有番号と一致する光ディスク媒体がある一定距離以内になったとき，対応するディスクであることを知らせる信号をリモコン側に送信する（ステップ２０８）。リモコン側は信号を受信して（ステップ２０９），所望の光ディスク媒体が近くにあることを表示素子３２を用いて表示する（ステップ２１０）。このような一連の動作により欲するデータが記録されている光ディスク媒体を探すことができる（ステップ２１１）。
【００１８】
この方法であると，所望の光ディスク媒体が近くにあることはわかるが，数枚が並んでいたり，重なっている場合，その中のどれであるかを判断するには，接近しているディスクを放す必要がでてきて好ましくない。この問題を解決するには,光ディスク媒体に表示素子４２をつければよい。
表示素子をカートリッジ内蔵型光ディスク媒体５に設置した場合の一例を図５に示す。このとき，表示素子として用いるものはダイオードでもいいし，液晶表示素子でもよく，さらに，その手段は視覚に限られるものではない。例えば，振動によりその所在を知らせる方法，あるいは音により知らせる方法でもかまわない。また,光ディスク媒体の表示方法としては,例えば，ディスクの外縁部に発光体を設ける等の手段がある。表示素子駆動のための電力はステップ１０３にて供給した電力を用いる。図５では一例として，ディスク識別固有番号の搭載されたＩＣチップ５１を表示素子５２の近傍に設置した。
【００１９】
所望の光ディスク媒体に表示素子５２が設置されている場合の具体的な動作は以下のようになる。図４の一連の動作中，ステップ２０７で識別固有番号情報を受信した光ディスク媒体は，表示素子駆動のための電力を用いて表示素子５２を作動させる（ステップ２１２）。表示素子をダイオードとした場合は，識別固有番号情報を受信すると点灯あるいは点滅させるとよい。なお、点滅に限らず、消灯や色の変化など、ユーザーが見てわかるようなものであれば、何でも良い。所望の光ディスク媒体あるいはカートリッジに表示素子が設置されている場合で，かつ光ディスク記録再生装置の近くにあるときは，リモコンを用いなくとも，ディスクの選別ができる。具体的には，図４の一連の動作中，ステップ２０４のあと,光ディスク記録再生装置から発せられたディスク識別固有番号情報を光ディスクが直接受信（ステップ２０７），光ディスク媒体の表示素子が作動し（ステップ２１２），所望の光ディスクであることを知らせる。
【００２０】
次に記録内容不明の光ディスクの内容を光ディスク記録再生装置に挿入することなく知るための動作の一例を，図６を用いて説明する。
まず，上記記録内容不明の光ディスク媒体の識別固有番号を知るために，リモコンから識別固有番号呼び出し信号を上記光ディスクに送信する（ステップ３０１）。光ディスク媒体はその呼び出し信号を受信（ステップ３０２），光ディスク媒体から識別固有番号情報をリモコンに送信する（ステップ３０３）。識別固有番号情報を受信した（ステップ３０４）リモコンは，識別固有番号情報を光ディスク記録再生装置に送信する（ステップ３０５）。光ディスク記録再生装置はその識別固有番号情報を受信して（ステップ３０６），記憶装置１１内に格納されている，識別固有番号に対応したデータをピックアップ（ステップ３０７），その情報をディスプレイに表示する（ステップ３０８）。ユーザの作業としては，光ディスク媒体から識別固有番号を取得するために１回，その番号情報を光ディスク装置に送信するために１回，計２回リモコンを操作するだけで，光ディスク媒体の記録内容を知ることができ，簡便である。
【００２１】
光ディスク媒体あるいはカートリッジに設置されたＩＣチップはディスク識別固有番号情報の入ったＲＯＭでもいいし,追記型メモリでも良い。また，実施例ではディスク識別固有番号情報の入ったＲＯＭの場合を述べたが，書換可能なメモリでももちろん良い。この場合，光ディスクに記録された内容の一部をメモリに書き込んでおけば，リモコンで書換可能メモリから記録情報を読み取ることができ，光ディスク記録再生装置にディスク識別固有番号情報を送信しなくても光ディスク媒体の記録内容が確認できるので，より便利である。
【００２２】
光ディスク媒体にＩＣチップを設置する場合，図７に示すように，ＩＣチップ４１と反対側に回転バランス制御用チップ４５を設けることが望ましい。回転軸に対してアンバランスがあるディスクの場合，光ディスク媒体が低速で回転している場合は大きな問題とならないが，ディスク回転数が速くなるとばたつきが起こる恐れが生じる。最悪の場合ディスクが破損する可能性もあり，回転バランスをとる必要がある。図７では回転バランス制御用チップを１つとしたが，複数あってもその効果は変わらない。例えば，９０°ごとに回転バランス制御用チップを３つ設置しても，１２０°ごとに２つ設置してもかまわない。また,回転バランスをとることが目的なので，チップの形は問題にならず，回転バランス制御ができることが重要である。チップはダミーでもよく，またディスク識別固有番号情報入りチップ１つと書換型ＩＣチップ１つとしてもよい。
ＩＣチップの設置場所は，光ディスクの規格で定められている光ディスク媒体の記録領域を避けた場所に埋め込むことがのぞましい。
【００２３】
書換型メモリチップを光ディスク媒体あるいはカートリッジに搭載している場合には，記録内容に関するデータ，メモ等をユーザが自由に記録することも可能である。例えば，光ディスク記録再生装置に挿入し光ディスク媒体に記録を行ったあと，またはユーザが記録内容を編集した後にメモをつけたい場合，リモコンを用いメモしたい内容を文字化し光ディスク記録再生装置に送信する。光ディスク記録再生装置は送信された情報を光ディスク媒体あるいはカートリッジに設置された書換可能型メモリに記録する。
【００２４】
光ディスク記録再生装置にメモ内容を送信する場合，リモコンでなく，携帯電話を用いてもよい。携帯電話を用いたメール送信は今では大衆化された文化であり，多くのユーザにとって携帯電話からの文字送信は手軽な作業であると思われる。メモ等の記録に携帯電話を用いる場合，光ディスク記録再生装置側に，携帯電話から送信される文字情報を受信できる携帯電話用受信回路が必要となる。
【産業上の利用可能性】
【００２５】
光ディスクの記録再生および検索に利用される
【図面の簡単な説明】
【００２６】
【図１】本発明にかかる光ディスクシステムの模式図。
【図２】本発明にかかる光ディスクシステムを構成する要素の外観の一例。
【図３】本発明の一実施例の光ディスク媒体に記録する場合の処理フロー図。
【図４】本発明の一実施例の光ディスク媒体を探す処理フロー図。
【図５】本発明の一実施例のカートリッジ一体型構造の光ディスク媒体の平面図。
【図６】本発明の一実施例の光ディスク媒体の記録内容を知るための処理フロー図。
【図７】本発明の一実施例の記録ディスク媒体の平面図。
【符号の説明】
【００２７】
１・・・光ディスク記録再生装置，２・・・ディスプレイ，３・・・光ディスク記録再生装置用リモコン，４・・・光ディスク媒体，５・・・カートリッジ一体型構造の光ディスク媒体，１１・・・記憶装置，１２・・・電力送信，１３・・・光ディスクドライブ，１４・・・ＣＰＵ，１５・・・データ送受信，３１・・・データ送受信，３２・・・表示素子，３３・・・メモリ，４１・・・ＩＣチップ，４２・・・，表示素子，４３・・・データ送受信，４４・・・電力受信，４５・・・回転バランス制御用チップ。
【図１】
2005310253.tif 000003
【図２】
2005310253.tif 000004
【図３】
2005310253.tif 000005
【図４】
2005310253.tif 000006
【図５】
2005310253.tif 000007
【図６】
2005310253.tif 000008
【図７】
2005310253.tif 000009